【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
セルの初期アクセス中、残存最小システム情報(RMSI)をスケジュールする少なくとも第1の物理ダウンリンク制御チャネル(PDCCH)に対して監視するためのPDCCH監視ウィンドウの事前構成されたデフォルトの第1の周期性を決定するステップと、
前記初期アクセスの後、前記事前構成されたデフォルトの第1の周期性に基づいて、または前記セルからの以前のRMSIの中で受信された指示に基づいて、RMSIをスケジュールする少なくとも第2のPDCCHを監視するための前記PDCCH監視ウィンドウの第2の周期性を決定するステップと、
前記第1のPDCCHに対して監視するための前記PDCCH監視ウィンドウ内の第1の時間オフセット、および前記第2のPDCCHに対して監視するための前記PDCCH監視ウィンドウ内の第2の時間オフセットを決定するステップと、
前記PDCCH監視ウィンドウの中で、初期アクセス中、前記事前構成されたデフォルトの第1の周期性および前記第１の時間オフセットで少なくとも前記第1のPDCCHに対して監視し、
前記PDCCH監視ウィンドウの中で、前記初期アクセスの後、前記第2の周期性および前記第2の時間オフセットで少なくとも前記第2のPDCCHに対して監視するステップとを含む、
方法。
【請求項２】
前記PDCCH監視ウィンドウの持続時間の指示を受信するステップをさらに含む、
請求項1に記載の方法。
【請求項３】
前記方法が、
システム情報を取得するために同期信号ブロック(SSB)の中の物理ブロードキャストチャネル(PBCH)を復号するステップをさらに含み、
前記事前構成されたデフォルトの第1の周期性または前記第2の周期性のうちの少なくとも1つが、前記SSBの周期性に関連する、
請求項1に記載の方法。
【請求項４】
複数のSSBが、前記PDCCH監視ウィンドウの中で送信され、
前記方法が、
前記SSBの各々に関連するRMSIをスケジュールするPDCCHに対して、いつ前記PDCCH監視ウィンドウの中で監視すべきかを決定するステップをさらに含む、
請求項3に記載の方法。
【請求項５】
前記PDCCHに基づいて、前記RMSIに対して物理ダウンリンク共有チャネル(PDSCH)を監視するステップをさらに含む、
請求項1に記載の方法。
【請求項６】
周波数帯域に基づいてデフォルトの周期性のセットから前記事前構成されたデフォルトの第1の周期性を選択するステップをさらに含む、
請求項1に記載の方法。
【請求項７】
前記事前構成されたデフォルトの第1の周期性を選択するステップが、
前記周波数帯域が6GHz未満である場合、第1のデフォルトの周期性を選択するステップと、
前記周波数帯域が6GHz以上である場合、第2のデフォルトの周期性を選択するステップとを含む、
請求項6に記載の方法。
【請求項８】
前記第2の周期性を決定するステップが、
以前のRMSIの中で受信された前記指示に基づいて前記第2の周期性を決定するステップ、または、
前記指示が受信されない場合、前記事前構成されたデフォルトの第1の周期性を想定するステップを含む、
請求項1に記載の方法。
【請求項９】
前記決定が、前記UEにおける事前構成された時間オフセット、または前記時間オフセットを示す前記セルからのシグナリングのうちの少なくとも1つに基づく、
請求項1に記載の方法。
【請求項１０】
前記時間オフセットが、各PDCCH監視ウィンドウに対して同じである、
請求項1に記載の方法。
【請求項１１】
時間オフセットの第1のセットが、第1の修正期間内の各PDCCH監視ウィンドウに対して同じであり、
時間オフセットの第2のセットが、第2の修正期間内の各PDCCH監視ウィンドウに対して同じであり、
前記第1の時間オフセットが、前記第2の時間オフセットとは異なる、
請求項1に記載の方法。
【請求項１２】
前記時間オフセットが、1つまたは複数の隣接セルの前記PDCCH監視ウィンドウ用である、
請求項1に記載の方法。
【請求項１３】
1つもしくは複数の隣接セルからのRMSIをスケジュールするPDCCHに対して監視するための別の周期性を示す、前記セルからのシグナリングを受信するステップ、または、
前記指示が受信されない場合、前記1つもしくは複数の隣接セルに対して前記事前構成されたデフォルトの第1の周期性を想定するステップをさらに含む、
請求項1に記載の方法。
【請求項１４】
前記シグナリングが、
前記1つもしくは複数の隣接セルのうちの1つに対する他の周期性が、前記セルに対する前記周期性と同じであるのかそれとも異なるのかを示す、単一のビット、または、
周波数レイヤ内のすべてのセルに対する他の周期性が、前記セルに対する前記周期性と同じであるのかそれとも異なるのかを示す、単一のビットのうちの少なくとも1つを備える、
請求項13に記載の方法。
【請求項１５】
前記指示が、前記セルからの、RMSI、他のシステム情報(OSI)、無線リソース制御(RRC)シグナリング、またはハンドオーバコマンドのうちの少なくとも1つの中で受信される、
請求項13に記載の方法。
【請求項１６】
RMSIをスケジュールする少なくとも第1のPDCCHに対して監視するための前記事前構成されたデフォルトの第１の周期性が、前記初期アクセスの前に事前構成される、または、ワイヤレス規格において事前規定される、
請求項1に記載の方法。
【請求項１７】
ワイヤレス通信のための装置であって、
メモリと結合された少なくとも1つのプロセッサであって、
セルの初期アクセス中、残存最小システム情報(RMSI)をスケジュールする少なくとも第1の物理ダウンリンク制御チャネル(PDCCH)に対して監視するためのPDCCH監視ウィンドウのデフォルトの第1の周期性を決定し、
前記初期アクセスの後、事前構成されたデフォルトの第1の周期性に基づいて、または前記セルからのRMSIの中で受信された指示に基づいて、RMSIをスケジュールする少なくとも第2のPDCCHを監視するための前記PDCCH監視ウィンドウの第2の周期性を決定し、
前記第1のPDCCHに対して監視するための前記PDCCH監視ウィンドウ内の第1の時間オフセット、および前記第2のPDCCHに対して監視するための前記PDCCH監視ウィンドウ内の第2の時間オフセットを決定するように構成された、プロセッサと、
受信機であって、前記PDCCH監視ウィンドウの中で、少なくとも、
初期アクセス中、前記事前構成されたデフォルトの第1の周期性および前記第1の時間オフセットで前記第1のPDCCHに対して、および
前記初期アクセスの後、前記第2の周期性および前記第2の時間オフセットで前記第2のPDCCHに対して、
監視するように構成された、受信機とを備える、
装置。
【請求項１８】
前記少なくとも1つのプロセッサが、システム情報を取得するために同期信号ブロック(SSB)の中の物理ブロードキャストチャネル(PBCH)を復号するようにさらに構成され、
前記事前構成されたデフォルトの第1の周期性または前記第2の周期性のうちの少なくとも1つが、前記SSBの周期性に関連する、
請求項17に記載の装置。
【請求項１９】
複数のSSBが、前記PDCCH監視ウィンドウの中で送信され、
前記少なくとも一つのプロセッサが、前記SSBの各々に関連するRMSIをスケジュールするPDCCHに対して、いつ前記PDCCH監視ウィンドウの中で監視すべきかを決定するように構成される、
請求項18に記載の装置。
【請求項２０】
前記時間オフセットが、各PDCCH監視ウィンドウに対して同じである、
請求項17に記載の装置。
【請求項２１】
ワイヤレス通信のための装置であって、
セルの初期アクセス中、残存最小システム情報(RMSI)をスケジュールする少なくとも第1の物理ダウンリンク制御チャネル(PDCCH)に対して監視するためのPDCCH監視ウィンドウの事前構成されたデフォルトの第1の周期性を決定する手段と、
前記初期アクセスの後、前記事前構成されたデフォルトの第1の周期性に基づいて、または前記セルからのRMSIの中で受信された指示に基づいて、RMSIをスケジュールする少なくとも第2のPDCCHを監視するための前記PDCCH監視ウィンドウの第2の周期性を決定する手段と、
前記第1のPDCCHに対して監視するための前記PDCCH監視ウィンドウ内の第1の時間オフセット、および前記第2のPDCCHに対して監視するための前記PDCCH監視ウィンドウ内の第2の時間オフセットを決定する手段と、
前記PDCCH監視ウィンドウの中で、初期アクセス中、前記事前構成されたデフォルトの周期性および前記第1の時間オフセットで少なくとも前記第1のPDCCHに対して監視する手段と、
前記PDCCH監視ウィンドウの中で、前記初期アクセスの後、前記第2の周期性および前記第2の時間オフセットで少なくとも前記第2のPDCCHに対して監視する手段とを備える、
装置。
【請求項２２】
前記装置が、
システム情報を取得するために同期信号ブロック(SSB)の中の物理ブロードキャストチャネル(PBCH)を復号する手段をさらに備え、
前記事前構成されたデフォルトの第1の周期性または前記第2の周期性のうちの少なくとも1つが、前記SSBの周期性に関連する、
請求項21に記載の装置。
【請求項２３】
複数のSSBが、前記PDCCH監視ウィンドウの中で送信され、
前記装置が、
前記SSBの各々に関連するRMSIをスケジュールするPDCCHに対して、いつ前記PDCCH監視ウィンドウの中で監視すべきかを決定する手段をさらに備える、
請求項22に記載の装置。
【請求項２４】
前記時間オフセットが、各PDCCH監視ウィンドウに対して同じである、
請求項21に記載の装置。
【請求項２５】
プロセッサによって実行されたとき、ユーザ機器(UE)に実行させる命令がその上に記憶された非一時的コンピュータ可読記憶媒体であって、前記命令が、
セルの初期アクセス中、残存最小システム情報(RMSI)をスケジュールする少なくとも第1の物理ダウンリンク制御チャネル(PDCCH)に対して監視するための物理ダウンリンク制御チャネル(PDCCH)監視ウィンドウの事前構成されたデフォルトの第1の周期性を決定し、
前記初期アクセスの後、前記事前構成されたデフォルトの第1の周期性に基づいて、または前記セルからのRMSIの中で受信された指示に基づいて、RMSIをスケジュールする少なくとも第2のPDCCHを監視するための前記PDCCH監視ウィンドウの第2の周期性を決定し、
前記第1のPDCCHに対して監視するための前記PDCCH監視ウィンドウ内の第1の時間オフセット、および前記第2のPDCCHに対して監視するための前記PDCCH監視ウィンドウ内の第2の時間オフセットを決定し、
前記PDCCH監視ウィンドウの中で、初期アクセス中、前記事前構成されたデフォルトの第1の周期性および前記第1の時間オフセットで少なくとも前記第1のPDCCHに対して監視し、前記PDCCH監視ウィンドウの中で、前記初期アクセスの後、前記第2の周期性および前記第2の時間オフセットで少なくとも前記第2のPDCCHに対して監視する、
コンピュータ可読記憶媒体。